(57)【要約】【課題】排水口に装着されているヘアキャッチャーが捕集物を捕捉し、目詰まりが生じてきた際に、排水口からヘアキャッチャーを持ち上げるという簡単な操作だけで、捕捉した捕集物を除去することが可能な状態とする構造のヘアキャッチャーを実現する。【解決手段】ヘアキャッチャー１は、上捕集桟４を備えた上捕集体２と下捕集桟１０を備えた下捕集体３とから成り、上捕集体２は、上方に突出する摘み部９を備え、下捕集体３をカシメ部１４で軸支し重ね合わせ可能であるとともに、摘み部９を掴んだ際に、下捕集体３が下方に回動して開閉することができ、一つの動作で、捕捉した捕集物８を除去することが可能な状態とする。【選択図】図１
2009293270.tif 000002
【特許請求の範囲】
【請求項１】
上捕集体と下捕集体とを重ね合わせたヘアキャッチャーであって、一部が上捕集体より上方に突出する摘み部を備え、摘み部を掴んだ際に、下捕集体が下方に回動するように構成されていることを特徴とするヘアキャッチャー。
【請求項２】
請求項１記載のヘアキャッチャーであって、摘み部は、下捕集体を軸支するカシメ部を備えていることを特徴とするヘアキャッチャー。
【請求項３】
請求項１または２記載のヘアキャッチャーであって、上捕集体及び／または下捕集体の捕集桟は、一端が開放端となっていることを特徴とするヘアキャッチャー。
【請求項４】
請求項１から３のいずれかに記載のヘアキャッチャーであって、摘み部は上捕集体及び下捕集体の基端部の中心からずれた位置に位置し、摘み部の方向は上捕集体及び下捕集体の捕集桟の方向とは異なっていることを特徴とするヘアキャッチャー。
【発明の詳細な説明】
【技術分野】
【０００１】
本発明は、毛やゴミ屑等の捕集物を捕集するヘアキャッチャーに関し、特に、上下２つの捕集体からなるヘアキャッチャーにおいて、摘みを掴んだ際に、下部の捕集体が下方ヘ開き、捕集物の除去作業し易い状態となることを特徴とするヘアキャッチャーに関する。
【背景技術】
【０００２】
洗面ボール、浴室等の排水口に装着される、毛やごみ屑等の捕集物を捕集するためのヘアキャッチャーが従来から知られている。このようなヘアキャッチャーは、捕捉された捕集物が絡まり、容易に除去することが困難である他、捕捉された捕集物によって目詰まりを起こし、排水能力を低下させる問題がある。
【０００３】
このような問題を解決するヘアキャッチャーとして、例えば、ストレーナーを櫛形状する、あるいは２つの櫛形状ストレーナーを重ね合わす構造のものが知られている（特許文献１参照）。また、縦方向櫛部材と横方向櫛部材とで構成されるヘアキャッチャーで、櫛部材にバーを取り付けた構造のものが知られている（特許文献２参照）。
【０００４】
【特許文献１】特開２０００−７９３０５号公報
【特許文献２】特開２００７−４６４２２号公報
【発明の開示】
【発明が解決しようとする課題】
【０００５】
特許文献１は、２つの櫛形状ストレーナーを重ね合わす構造であり、排水口から引き上げて２つの櫛形状ストレーナーをスライドしながら離して、絡まった捕集物を除去する構成であるから、捕集物を完全には除去しにくく、作業も必ずしも簡単とは云えず、特に排水口に装着した状態では作業がしにくいものと考えられる。
【０００６】
また、特許文献２は、縦方向櫛部材と横方向櫛部材のそれぞれの４隅の端部で互いに回転可能としているが、回転可能とするボス及び凹部が４箇所必要で構造が複雑であり、作業も必ずしも簡単とは云えないものと考えられる。
【０００７】
本発明は、排水口に装着されているヘアキャッチャーが捕集物を捕捉し、目詰まりが生じてきた際に、排水口からヘアキャッチャーを持ち上げるという一つの動作だけで、捕捉した捕集物を除去することが可能な状態とする構造のヘアキャッチャーを実現することを課題とするものである。
【課題を解決するための手段】
【０００８】
本発明は上記課題を解決するために、上捕集体と下捕集体とを重ね合わせたヘアキャッチャーであって、一部が上捕集体より上方に突出する摘み部を備え、摘み部を掴んだ際に、下捕集体が下方に回動するように構成されていることを特徴とするヘアキャッチャーを提供する。
【０００９】
摘み部は、下捕集体を軸支するカシメ部を備えていることを特徴とする。
【００１０】
上捕集体及び／または下捕集体の捕集桟は、一端が開放端となっていることが好ましい。
【００１１】
摘み部は上捕集体及び下捕集体の基端部の中心からずれた位置に位置し、摘み部の方向は上捕集体及び下捕集体の捕集桟の方向とは異なっている構成とすることが好ましい。
【発明の効果】
【００１２】
本発明によれば、排水口に装着された２つの捕集体からなるヘアキャッチャーを、捕集体の摘みを掴んで上方に持ち上げて取り出すと、下捕集体が下方ヘ開くので、上記ヘアキャッチャーの持ち上げるという一つの動作（ワンアクション）で、毛やゴミ屑等の捕集物の除去作業が可能な状態とすることができる。
【発明を実施するための最良の形態】
【００１３】
本発明に係るヘアキャッチャーを実施するための最良の形態を実施例に基づき図面を参照して、以下説明する。
【実施例】
【００１４】
本発明に係るヘアキャッチャーの実施例を図１〜６おいて説明する。図１（ａ）、（ｂ）は、本発明の実施例のヘアキャッチャーの斜視図を示し、図２（ａ）、（ｂ）はその側面図及び作用を説明する図である。このヘアキャッチャー１は、樹脂材等の材料で形成され、上捕集体２と下捕集体３とが、互いに開閉可能に重ね合わされて構成されている。
【００１５】
上捕集体２は、全体として水平面状に形成されており、複数の上捕集桟４を備えて櫛状に形成されている。上捕集体２の輪郭は、洗面ボール、浴室等の排水口の平面形状に合わせて形成され、例えばこの実施例では、平面視で略円形に形成されており、その大きさ（具体的に直径）は、上捕集体２が装着すべき洗面ボール等の排水口（図示せず）内に挿入可能なように、排水口の大きさ（直径）より若干小さく形成されている。
【００１６】
図６（ａ）において上捕集体２の平面図を示すが、複数の上捕集桟４は、櫛歯のように互いに間隙５を介して平行に形成されている。複数の上捕集桟４は、上捕集体２の基端部６から先端部７に向けて一方向に延びるように形成されている。上捕集体２の基端部６は、図１に示すように上捕集体２の輪郭に沿ってＣ字状に形成されている（図６（ａ）参照）。基端部６は環状（例．円環状）に形成してもよいが、本実施例では、上捕集体２についてはＣ字状の基端部６を備えている構成で説明する。
【００１７】
基端部６をＣ字状に構成した場合は、複数の上捕集桟４の間隙５は、上捕集体２の先端部７において開口し開放端として形成されている。このような構成にすると、上捕集桟４に絡んだ毛やゴミ屑等の捕集物（図２（ａ）、（ｂ）参照）を紙などで把持し、上捕集桟４の開放端の方向に移動して開放端から除去し易い。特に、捕集物２３が多く絡む上捕集桟４は、上捕集桟４の先端部７を開放端としていると、捕集物を除去し易いので好ましい。基端部６の両端部８は、複数の上捕集桟４の一部を構成している。
【００１８】
上捕集体２のＣ字状の基端部６の周方向の中心からずれた位置における上面には、図１（ａ）、（ｂ）に示すように、上方に突出する摘み部９が設けられている。この摘み部９は、上捕集体２の中心に向けて延び、人が掴みやすい適宜の厚さを有するように形成されている。この実施例では、摘み部９が上捕集体２の中心に向けて延びる方向は、複数の上捕集桟４の向きと異なるように形成されている。その理由については、後記する。
【００１９】
下捕集体３は、上捕集体２と異なり摘み部９は備えていないが、その構成は上捕集体２と略同じ構成である。即ち、下捕集体３は、全体として水平面として形成されており、複数の下捕集桟１０を備え櫛状に形成されている。下捕集体３の輪郭は、上捕集体２と同じように、装着すべき排水口と略同じ平面形状であり、例えば平面視で略円形に形成されており、その大きさ（直径）は、上捕集体２が装着すべき排水口内に挿入可能なように、排水口より若干小さく形成されている。
【００２０】
図６（ｂ）において本発明における下捕集体３の好ましい構成の平面図を示すが、下捕集体３の複数の下捕集桟１０は、櫛歯のように互いに間隙１１を介して平行に形成されている。複数の下捕集桟１０の基端側は、下捕集体３の基端部１２から先端部に向けて一方向に延びるように形成されている。下捕集体３の基端部１２は、上捕集体２の基端部６と同様に、下捕集体３の輪郭に沿ってＣ字状に形成されている（図６（ｂ）参照）。基端部１２は環状（例．円環状）に形成してもよい。
【００２１】
基端部１２をＣ字状に形成した場合は、複数の下捕集桟１０の間隙１１は、下捕集体３の先端部１２において開口し開放端として形成されている。基端部１２の両端部１３は、複数の下捕集桟１０の一部を構成している。このような構成であると、絡んだ捕集物２３を紙などで把持し下捕集桟４の開放端の方向に移動して開放端から除去し易い。以下、本実施例では、下捕集体３についても上捕集体２と同様にＣ字状の基端部１２を備えている構成で説明する。
【００２２】
下捕集体３の複数の下捕集桟１０は、図２（ａ）、（ｂ）に示すように、摘み部９の直下において上捕集体２の基端部６の下面において、カシメ部１４によって回転可能に軸支されている。図３（ａ）〜（ｃ）及び図４（ａ）〜（ｃ）は、それぞれ上捕集体２及び下捕集体３のを示す図であり、図４（ｄ）はヘアキャチャー１を示し、図４（ｅ）は図４（ｄ）のＡに示す部分の拡大図である。カシメ部１４の具体的構造例を、図３（ａ）〜（ｃ）、図４（ａ）〜（ｅ）によって説明する。
【００２３】
上捕集体２は、カシメ部１４を構成する耳部１５を備えている。耳部１５は、摘み部９の直下、即ち上捕集体２の基端部６の中心部から周方向に適宜角度ずれた位置の下面に、下方に向けて突設されている。この耳部１５の両側面に、下捕集桟１０を軸支する凸部１６が側方に突出するように形成されている。
【００２４】
一方、図６に示すように、下捕集体３の基端部１２の中心１２’から周方向にずれた位置には、下捕集体３の中心に向けて切り欠き１７が形成されている。この切り欠き１７の幅は、耳部１５の厚さより少し大きく、切り欠き１７内に耳部１５が嵌合し回転可能となるように構成されている。切り欠き１７の内側の両側面には耳部１５の凸部１６に対応して凹部１８が形成されている（図４参照）。
【００２５】
上捕集体２と下捕集体３を組み立てる際には、上捕集体２の耳部１５を下捕集体３の切り欠き１７内に挿入し、耳部１５の凸部１６を切り欠き１７内の凹部１８内に弾力に抗して嵌入し回転可能に軸支する。これにより、上捕集体２に対して下捕集体３を、カシメ部１４を中心に回転可能になるように嵌合して組み合わされる。なお、上記とは逆に、耳部１５に軸支用の凹部１８を形成し、切り欠き１７の内側の両側面に凸部を形成してもよい。
【００２６】
このように上捕集体２の基端部６の一部に、下捕集体３の基端部１２の一部が下方に回転するように取り付けられているが、下捕集体３の上に上捕集体２を重ね合わせると、上捕集桟４と下捕集桟１０は互いに直交するように取り付けられている。これにより、上捕集桟４と下捕集桟１０は、格子状の捕集桟１９を形成している。
【００２７】
なお、図３（ａ）〜（ｃ）に示すように、上捕集体２には、耳部１５の外端に耳部１５と直交して上捕集体２外縁の接線方向に規制部２０が形成されている。この規制部２０は、下捕集体３が図２（ｂ）に示すように下方に回転すると下捕集体３の断面が傾斜状に形成された外周面２４に当接し、下捕集体３の下方への回転を所定角度に規制する。この規制部２０は、摘み部９の一部として形成してもよいし、また、場合によっては規制部２０を形成しなくてもよい。
【００２８】
ところで、上捕集体２の基端部６に設けた摘み部９の方向と、上捕集桟４及び下捕集桟１０の方向との関係について、最適な構成を、図５及び図６において説明する。図５は、比較例を示す図である。図５（ａ）は上捕集体２の平面図を、図５（ｂ）は下捕集体３の平面図を、図５（ｃ）は上捕集体２と下捕集体３を重ね合わせた平面図を示している。  
【００２９】
この上捕集体２については、図５（ａ）に示すように、摘み部９を、基端部６の周方向の中心６’の位置において上捕集桟４と略平行に設ける。そして、下捕集体３については、図５（ｂ）に示すように、切り欠き１７を基端部１２の周方向の中心１２’から周方向に反時計方向に９０°にずれた基端部の端部１３に設ける。基端部の両端部のうち、一方の端部１３（図５（ｂ）中、上側の端部１３）は、他の端部１３（図５（ｂ）中、下側の端部１３）より切り欠き１７を形成するために幅広に形成されている
【００３０】
そして、図５（ｃ）に示すように、摘み部９直下の耳部１５を切り欠き１７に嵌合して上捕集体２と下捕集体３を重ね合わせると、上捕集桟４と下捕集桟１０が互いに直交して交差し格子状の捕集桟１９を形成する。
【００３１】
図５（ｃ）に示すように、摘み部９が突出する領域２１は、本来は、格子状の捕集桟１９が比較的広く形成されるべき領域であるが、摘み部９が突出して設けるために、左右に分断され、しかも、端部１３を切り欠き１７を設けるために幅広に形成する必要があり、図５（ｃ）の斜線で示す格子状の捕集桟１９が下捕集体３によって塞がれてデッドスペース（排水の通過及び捕集物の捕集機能をしない領域）となってしまう。その結果、領域２１において、格子状の捕集桟１９の面積が狭くなり、排水の通過及び捕集物８の捕集の機能が低減するという問題が生じる。
【００３２】
このような問題が生じないように、本発明では、図６（ａ）〜（ｃ）に示すような構成とした。ここで、図６（ａ）は上捕集体２の平面図を、図６（ｂ）は下捕集体３の平面図を、図６（ｃ）は上捕集体２と下捕集体３を重ね合わせた平面図を示している。
【００３３】
図６（ａ）に示すように、上捕集体２については、摘み部９を基端部６の周方向の中心６’から周方向（正確には時計針方向）に４５°程度ずらして設け、上捕集桟４の方向と異なるように設ける。そして、下捕集体３については、図６（ｂ）に示すように、摘み部９に対応して切り欠き１７を基端部６の周方向の中心１２’から周方向に反時計針方向に４５°程度ずらして設ける。
【００３４】
そして、図６（ｃ）に示すように、摘み部９直下の耳部１５を切り欠き１７に嵌合して上捕集体２と下捕集体３を重ね合わせると、上捕集桟４と下捕集桟１０が互いに直交して交差し格子状の捕集桟１９を形成する。
【００３５】
この構成では、切り欠き１７を基端部１２の中心部１２’と両端部１３との境界部に形成するために、切り欠き１７を形成するために必要な基端部１２の面積は、図５（ｂ）に較べてそれほど広くならないので、格子状の捕集桟１９が、下捕集体３によって塞がれてその面積が狭くなることはない。その結果、格子状の捕集桟１９の領域２１を左右に狭い領域に分断することなく、格子状の捕集桟の領域２１が、図５（ａ）〜（ｃ）に示す構成に較べて、比較的水の通過が良く、また捕集物８の捕捉機能が良い。
【００３６】
（作用）
以上の構成から成る本発明に係るヘアキャッチャー１の作用を説明する。図１（ａ）、図２（ａ）に示すように、上捕集体２と下捕集体３が重ね合わされて成るヘアキャッチャー１を、洗面ボール、浴室等の排水口内に嵌合して装着する。
【００３７】
排水口から排水される水は、格子状の捕集桟１９を通過して流下するとともに、毛やゴミ屑等の捕集物８は、格子状の捕集桟１９の構成要素である上捕集桟４と下捕集桟１０に絡んで捕集される。
【００３８】
上捕集桟４と下捕集桟１０に絡んで捕捉された捕集物８を除去する場合は、図１（ｂ）、図２（ｂ）に示すように、摘み部９を掴み、ヘアキャッチャー１を排水口から上方に持ち上げて取り出す。すると、下捕集体３は、カシメ部１４を中心に下方に自重で回転し、上捕集体２と下捕集体３が開き隙間２２が生じる。この隙間２２から手を入れて、或いは隙間２２と上捕集体２の上から捕集物８を把持して、上捕集体２の先端部７の方向に移動して除去することができる。
【００３９】
このように、本発明のヘアキャッチャー１は、排水口から取り出す際に、その摘み部９を掴んで上方に持ち上げると、下捕集体３は自動的に下方に回転して開くので、摘み部９を掴んで上方に持ち上げるという一つの動作（ワンアクション）によって、捕集物８の除去作業がしやすい状態にすることができる。
【００４０】
以上、本発明に係るヘアキャッチャーを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４１】
本発明に係るヘアキャッチャーは、上記のような構成であるから、毛やゴミ屑を捕捉する必要のある洗面ボール、浴室等の排水口に適用できるだけでなく、捕集物を捕捉する必要のあるキッチンの流し台、その他の排水口にも適用可能である。特に、ホテル、事務所ビル、駅等公共施設のように多数の排水口を有する建物における、排水口の清掃作業では一つの動作（ワンアクション）でヘアキャッチャーの清掃が可能となるので、有用である。
【図面の簡単な説明】
【００４２】
【図１】（ａ）は本発明に係るヘアキャッチャーの実施例の構成を示す斜視図であり、（ｂ）は上捕集体に対して下捕集体を開いた状態を示す斜視図である。
【図２】（ａ）は本発明に係るヘアキャッチャーの実施例の構成を示す側面図であり、（ｂ）は上捕集体に対して下捕集体を開いた状態を示す側面図である。
【図３】上記実施例の要部を説明する図であり、（ａ）、（ｂ）は、それぞれ上捕集体捕集体の側面及び下面を示す図である。（ｃ）は（ａ）のＡ−Ａ断面を示す図である。
【図４】上記実施例の要部を説明する図であり、（ａ）〜（ｃ）は、それぞれ下捕集体の側面、下面及び背面を示す図である。（ｄ）はヘアキャチャーのカシメ部の断面を示し、（ｅ）は（ｄ）のＡに示す部分の拡大図である。
【図５】上記実施例に対する比較例を説明する図であり、（ａ）〜（ｃ）は、それぞれ上捕集体、下捕集体及びヘアキャッチャーの平面図である。
【図６】上記実施例の要部を説明するための図であり、（ａ）〜（ｃ）は、それぞれ上捕集体、下捕集体及びヘアキャッチャーの平面図である。
【符号の説明】
【００４３】
１  ヘアキャッチャー                               
２  上捕集体                                       
３  下捕集体                                       
４  複数の上捕集桟                                 
５  複数の上捕集桟の間隙                           
６  上捕集体の基端部                               
７  上捕集体の先端部                               
８  上捕集体の基端部の両端部                       
９  摘み部                                         
１０  下捕集桟                                     
１１  下捕集桟の間隙                               
１２  下捕集体の基端部                             
１３  基端部の両端部                           
１４  カシメ部                                     
１５  耳部                                         
１６  耳部の両側面に凸部                           
１７  耳部が嵌合する切り欠き                       
１８  下捕集体の切り欠きの内側の両側面に凹部       
１９  格子状の捕集桟                               
２０  規制部                                       
２１  格子状の捕集桟の領域                         
２２  捕集体と下捕集体が開き隙間
２３  捕集物
２４  下捕集体の外周面                  
【図１】
2009293270.tif 000003
【図２】
2009293270.tif 000004
【図３】
2009293270.tif 000005
【図４】
2009293270.tif 000006
【図５】
2009293270.tif 000007
【図６】
2009293270.tif 000008